(57)【要約】      （修正有）【課題】草履を手編みで製作する際に、草履の形態を安定させることができ、かつ、異なる大きさ草履を編むことができる器具を提供する。【解決手段】草履を手編みで製作する際に用いる草履の手編み用補助具であって、所定間隔をもって平行に配列される３本の柱体と、前記各柱体を一端側で互いに連結固定する柱体固定部と、前記柱体固定部に取り付けられる持ち手とを有するものである。このような構成により、草履の骨組みとなる紐体の後端側を柱体で引っ掛けて、持ち手で後端側に引きながら草履を編んでいくことで、骨組みの形状を維持することができ、また、柱体の位置が自由に動くので草履の大きさを任意に調整ことができる。【選択図】図１
0003116486.tif 000002
【実用新案登録請求の範囲】
【請求項１】
草履を手編みで製作する際に用いる補助器具であって、
所定間隔をもって平行に配列される３本の柱体と、
前記各柱体を一端側で互いに連結固定する柱体固定部と、
前記柱体固定部に取付けられる持ち手と
を有する草履の手編み用補助具。
【請求項２】
前記柱体固定部と前記持ち手は、一枚の板体により一体に形成される請求項１に記載の草履の手編み用補助具。
【請求項３】
前記板体は長方形状であり、前記柱体固定部は主表面の先端近傍に前縁に沿って形成されるものであって、前記板体の側面に測定用の目盛が描かれた請求項２に記載の草履の手編み用補助具。
【請求項４】
前記持ち手は、前記３本の柱体の長手方向および配列方向に対して直角に伸びるものであって、前記持ち手の先端近傍に紐を取付けるための紐固定手段が形成される請求項１から３のいずれか１項に記載の草履の手編み用補助具。
【請求項５】
請求項１から４に何れか１項に記載の草履の手編み用補助具と、
上辺に３本の突起を有する板状体からなる紐掛部と、この紐掛部を立設固定する台座とから構成される草履台と
からなる草履の手編み具。
【請求項６】
前記紐掛部が前記台座部に対して前記突起の配列方向に平行な軸に対して回動し、かつ、２以上の回動位置で固定できるように形成される請求項５に記載の草履の手編み具。
【請求項７】
前記紐掛部の両側面の所定位置に紐掛部の主表面に平行かつ前記突起に対して直角方向に突起を設けた請求項５又は６に記載の草履の手編み具。
【請求項８】
前記草履台は複数の部品に分解可能であり、各部品は互いに一体となって収納できるように形成される請求項５から７のいずれか１項に記載の草履の手編み具。
【考案の詳細な説明】
【技術分野】
【０００１】
本考案は、草履を手編みで製作する際に用いる器具に関する。
【背景技術】
【０００２】
草履を手編みで製作する場合、上端に3本の突起が形成された板状体をほぼ垂直に固定した草履台を用いて行われることが一般的である。具体的には、骨組みとなる紐体Ｂを図５のような草履台Ｂａの３本の突起ａ、ｂ、ｃに掛け、この骨組みに対して別の紐体を編み込んでいくことで草履を形成していく。
しかし、草履を編み込んで行く際に骨組みとなる紐体は常に不安定な状態となるので、熟練しないと草履の形状が崩れてしまったり、しっかりと編めなかったりすることがある。これを解決するものとして、下記特許文献に示される草履の手編み台は、骨組みとなる紐体の後端側にも紐を引っ掛けるフックを設けており、これにより骨組みが安定し、形成される草履の形状が崩れることを防ぐことができる。
【特許文献１】実用新案登録第３０８４１０５号
【考案の開示】
【考案が解決しようとする課題】
【０００３】
しかし、上記特許文献１に記載の草履の手編み台は先端側と後端側の距離が固定されているために、同じ大きさの草履しか編めないという問題がある。
本考案はかかる問題に鑑みて、草履を手編みで製作する際に、草履の形態を安定させることができ、かつ、異なる大きさ草履を編むことができる器具を提供することを課題とする。
【課題を解決するための手段】
【０００４】
上記課題を解決するために、本考案は次のような構成を有する。
請求項１に記載の考案は、草履を手編みで製作する際に用いる草履の手編み用補助具であって、所定間隔をもって平行に配列される３本の柱体と、前記各柱体を一端側で互いに連結固定する柱体固定部と、前記柱体固定部に取り付けられる持ち手とを有するものである。
請求項２に記載の考案は、前記草履の手編み用補助具において、前記柱体固定部と前記持ち手は、一枚の板体により一体に形成されるものである。
請求項３に記載の考案は、請求項２に記載の草履の手編み用補助具において、前記板体は長方形状であり、前記柱体固定部は主表面の先端近傍に前縁に沿って形成されるものであって、前記前記板体の側面に測定用の目盛が描かれたものである。
請求項４に記載の考案は、前記草履の手編み用補助具において、前記持ち手は、前記３本の柱体の長手方向および配列方向に対して直角に伸びるものであって、前記持ち手の先端近傍に紐を取付けるための紐固定手段が形成されるものである。
【０００５】
請求項５に記載の考案は、前記草履の手編み用補助具と、上辺に３本の突起を有する板状体からなる紐掛部と、この紐掛部を立設固定する台座とから構成される草履台とからなる草履の手編み具である。
請求項６に記載の考案は、前記草履の手編み具において、前記紐掛部が前記台座部に対して前記突起の配列方向に平行な軸に対して回動し、かつ、２以上の回動位置で固定できるように形成されるものである。
請求項７に記載の考案は、前記草履の手編み具において、前記紐掛部の両側面の所定位置に紐掛部の主表面に平行かつ前記突起に対して直角方向に突起を設けたものである。
請求項８に記載の考案は、前記草履の手編み具において、前記草履台は複数の部品に分解可能であり、各部品は互いに一体となって収納できるように形成されるものである。
【考案の効果】
【０００６】
請求項１に記載の考案は、草履の骨組みとなる紐体の後端側を柱体で引っ掛けて、持ち手で後端側に引きながら草履を編んでいくことで、骨組みの形状を維持し、形成される草履の形態が崩れることを防ぐことができ、また、草履の大きさも柱体の位置が自由に動くので任意に変更することができる。さらに、骨組みに別の紐を編みながら、柱体を一端はずして、編み込んだ紐の奥側から再び柱体を骨組み内に差し入れて、編み込んだ紐を手前側ひ引くことで、編み込んだ紐部分を締め付けることができる。即ち、編み込んだ紐を締め付けながら形状を保持しつつ草履を編むことができる。
請求項２に記載の考案は、前記柱体固定部と前記持ち手は、一枚の板体により一体に形成することで、構成を簡易にすることができ、製造コストを削減することができる。
請求項３に記載の考案は、測定用の目盛を用いてどのくらいの長さまで草履を編んだかを知ることができるので、物差しなどを使うことなく所望の大きさの草履を形成することができる。
請求項４に記載の考案は、紐固定手段に紐を固定し、この紐の先端を使用者の腰など、体の一部に固定し、使用者が紐が固定された部分を移動させること柱体を引っ張ることができる。即ち、草履の手編み用補助具を骨組みとこの紐体による張力で支持することにより、持ち手を持たなくても草履の手編み用補助具は支持されるので、使用者は両手を使用して作業をすることができる。
【０００７】
請求項５に記載の考案は、やはり、上記に記載する効果を奏することができる。
請求項６に記載の考案は、草履台の突起の角度を変更することができるので、使用者の好みに応じて骨組みの紐を固定しやすいように調節することができる。
請求項７に記載の考案は、前記紐掛部の両側面の所定位置に紐掛部の主表面に平行かつ紐掛部上辺突起に対して直角方向に突起を設けることで、骨組みの両端に位置する紐をこの突起に掛けることで、骨組みの両端に位置する紐の高さを適切な位置に支持することができる。
請求項８に記載の考案は、草履台を分解し一体として収納することにより、収納スペースを削減することができる。
【考案を実施するための最良の形態】
【０００８】
以下、本考案の実施形態について、図面を参照しながら説明する。
図１に本実施形態に係る草履の手編み用補助具Ｘの斜視図を示し、図２に本実施形態に係る草履台Ｙの斜視図を示す。草履の手編み用補助具Ｘと草履台Ｙとにより草履の手編み具が構成される。
草履の手編み用補助具Ｘは、長方形の板体により形成される本体５０と、３本の円柱体６０ａ、６０ｂ、６０ｃとから構成される。本体５０は木製であり、主表面の一端側中央に紐Ｒcを固定する紐固定手段を構成する貫通孔６１が形成されるとともに、側面に、１ｃｍ刻みの目盛６２が描かれている。円柱体６０ａ、６０ｂ、６０ｃは、太さ約１ｃｍ、長さ約２ｃｍであり、本体５０の主表面の貫通孔６１が形成されていない側に、縁部に沿って立設固定されている。円柱体６０ａ、６０ｂ、６０ｃは、両端の円柱体６０ａ、６０ｃの最外縁間が想定される草履の骨組みの両端に位置する紐の内縁間とほぼ等しくなるように定められ、真ん中の円柱体６０ｂは、両端の円柱体６０ａ、６０ｃのほぼ中央に位置している。このような構成により本体５０は円柱体６０ａ、６０ｂ、６０ｃを一端側で連結固定する柱体固定部を形成するとともに、円柱体６０ａ、６０ｂ、６０ｃよりも貫通孔側の主表面は、柱体の長手方向および配列方向に直角に伸びる持ち手を形成することとなる。
【０００９】
草履台Ｙは、長方形状の板状体から形成される台座１０と、台座１０に固定される紐掛部２０とから構成される。紐掛部２０は、長方形状の板体からなる紐掛部本体２１、紐掛部本体２１の上端を２箇所、四角く切り欠くことで形成される突起２２ａ、２２ｂ、２２ｃ、紐掛部本体２１の両側面の２箇所に形成される円形有底の穴である側方突起固定穴２３ａ、２３ｂ、側方突起固定穴２３ａもしくは２３ｂに係合する円柱状の側方突起２４、紐掛部本体２１の両側面に側方突起固定穴２３ａ、２３ｂに並んで形成される円形有底の穴である支持干固定穴２５、長尺の四角柱からなり、長方形状の一面側両端に円柱状の突起が形成される２本の支持干２６、紐掛部本体２１の主表面下端を台座１０に回動可能に固定する蝶番２７から構成される。紐掛部本体２１は、台座１０の一端から全長の約４分の１の位置に蝶番２７により固定される。また、紐掛部本体２１は台座１０に対して斜めになることができるように、紐掛部本体２１の下端は蝶番が接する縁部から斜めに面取りがされている。
【００１０】
支持干２６は一端側の円柱状の突起が支持干固定穴２５に係合するとともに、他端側の突起が台座１０の側面に形成される角度調整穴１１ａもしくは１１ｂに係合する。台座に形成される角度調整穴１１ａ、１１ｂは円形有底の穴であり、両側面に２箇所ずつ蝶番２７の位置から紐掛部本体２１の板厚方向側に形成されている。角度調整穴１１ａもしくは１１ｂを選択することで支持干２６の長さは変わらないので、紐掛部本体２１の回動位置を調整し固定することができる。また、台座１０の主表面には、支持干２６を収納するための円形の穴である収納穴１２ａ、１２ｂが２組設けられている。収納穴１２ａ、１２ｂは支持干２６の突起が係合できる大きさであり間隔は支持干２６に設けられる突起同士の間隔に等しい。この収納穴１２ａ、１２ｂは草履台Ｙを収納する際に使用するものである。即ち、草履台Ｙを収納する場合は、各支持干２６を支持干固定穴２５および角度調整穴１１ａもしくは１１ｂから取り外し、各支持干２６のそれぞれの突起を収納穴１２ａ、１２ｂに差し込んで固定し、また、紐掛部２０を台座１０にほぼ平行になるように倒して、図３（ａ）（ｂ）に示すような状態として収納する。
【００１１】
次に、上記のような構成を有する草履の手編み用補助具Ｘと草履台Ｙとからなる草履の手編み具の使用方法について説明する。まず、使用者は、まず、収納状態の草履台Ｙから支持干２６を取り外し、紐掛部２０を立てて、支持干２６の両端の突起の一方を紐掛部２０の支持干固定穴２５に他方を台座の角度調整穴１１ａもしくは１１ｂに差し込む。角度調整穴１１ａ、１１ｂのいずれを用いるかは使用者の好みに応じて適宜定めればよい。次に、側方突起固定穴２３ａもしくは２３ｂの何れかに係合している側方固定突起２４の位置を変更する場合は、側方固定突起２４を差し替える。これも使用者の好みに応じて定められる。次に、草履の手編み用補助具Ｘの貫通孔６１に予め通されている紐Ｒcを使用者の腰のベルトなどに固定する。以上で草履を編む準備が完了する。
【００１２】
その後、図５に示すような形に紐体で草履台Ｙの紐掛部２０の突起２２ａ、２２ｂ、２２ｃを利用して骨組みを作り、骨組みの３つの隙間のそれぞれに草履の手編み用補助具Ｘの円柱体６０ａ、６０ｂ、６０ｃを下から通して手前側に移動させて骨組みを草履台Ｙの突起２２ａ、２２ｂ、２２ｃと草履の手編み用補助具Ｘの円柱体６０ａ、６０ｂ、６０ｃとにより張力をかけて引っ張ることで形状を安定させる。この際、草履の手編み用補助具Ｘは使用者の腰あたりに紐Ｒcにより固定されているので、使用者は腰を移動させることで骨組みに張力をかけて引っ張ることができる。これにより使用者は両手で作業を行うことができる。また、草履台Ｙの両端の突起２２ａ、２２ｃよりも外側に位置する骨組みの紐体は、側方固定突起２４により紐を編みやすい適度な高さに支持されている。この状態で、手前側から別の紐により草履を編んでいく。図４に草履の手編み具により草履を編んでいく様子を模式的に示す。草履を編む際に、円柱体６０ａ、６０ｂ、６０ｃは骨組みＢを手前側に引っ張っているので、紐Ｒは円柱体６０ａ、６０ｂ、６０ｃの奥側で編んでいく。紐Ｒを３から４往復編み込んだところで、円柱体６０ａ、６０ｂ、６０ｃをはずして、再び編み込んだ紐Ｒよりも奥側から骨組み内に挿入し、手前に引っ張ることで編み込んだ紐を締め付ける。そして、この状態からさらに、円柱体６０ａ、６０ｂ、６０ｃの奥側で紐を編んでいく。その後、編み込み、柱体６０ａ、６０ｂ、６０ｃの移動、締め付けという動作を繰り返していく。そして、草履の手編み用補助具Ｘの側面に描かれる目盛６２に基づいて、先端部を所定長さまで編み込み、鼻緒を編み込んだ後、さらに、かかと部分を上記と同様の手順で別の紐により編み、やはり、目盛６２に基づいて所定長さまで編み込んだところで、草履の手編み用補助具Ｘを取り外し、仕上げの処理を行い、先壷をつけて草履を完成させることができる。草履が完成したら、草履台Yは支持干２６を取り外して収納穴１２ａ、１２ｂに係合させ、紐掛部２０を倒して収納する。
【図面の簡単な説明】
【００１３】
【図１】実施形態に係る草履の手編み用補助具の斜視図である。
【図２】実施形態に係る草履台の斜視図である。
【図３】（ａ）は草履台の収納状態を示す平面図であり、（ｂ）は草履台の収納状態を示す側面図である。
【図４】実施形態に係る草履の手編み具により草履を編んでいく様子を示す平面図である。
【図５】草履を編む際の骨組みの形状を示す平面図である。
【符号の説明】
【００１４】
Ｘ    草履の手編み用補助具
Ｙ    草履台
１０  台座
１１ａ、１１ｂ  角度調整穴
２０  紐掛部
２１  紐掛部本体
２２ａ、２２ｂ、２２ｃ  突起
２３ａ、２３ｂ  側方突起固定穴
２４  側方固定突起
２５  支持干固定穴
２６  支持干
５０  本体
６０ａ、６０ｂ、６０ｃ  円柱体
６１  貫通孔
６２  目盛
【図１】
0003116486.tif 000003
【図２】
0003116486.tif 000004
【図３】
0003116486.tif 000005
【図４】
0003116486.tif 000006
【図５】
0003116486.tif 000007